(57)【要約】  表面に光触媒層（２）が設けられたタッチパネル付き液晶ディスプレイ（１）において、液晶ディスプレイ部（５）とタッチパネル部（３）との間に光触媒層（２）を活性化させるための専用光源として有機ＥＬ部（４）を設ける。有機ＥＬ部（４）は、光触媒を活性化させる波長の光を出力できるので、光触媒層（２）を効率的に活性化させることができ、自発光で薄膜であるので、タッチパネル付き液晶ディスプレイ（１）への有機ＥＬ部（４）の追加による影響が殆ど無い。
2008010350.tif 000002
【特許請求の範囲】
【請求項１】
文字や映像などが表示される表示手段の表示面に光触媒被膜が設けられた表示装置において、
前記表示手段と前記光触媒被膜との間に前記光触媒被膜を活性化させるための光源を備えたことを特徴とする表示装置。
【請求項２】
前記表示面上で操作するためのタッチパネルを備えたことを特徴とする請求項１に記載の表示装置。
【請求項３】
前記タッチパネルが、前記光源を備えたことを特徴とする請求項２に記載の表示装置。
【請求項４】
前記光源が、自発光かつ、非発光時には前記光源外部からの光を透過する薄膜であることを特徴とする請求項１乃至３のいずれか一項に記載の表示装置。
【請求項５】
前記光源が、有機ＥＬ素子であることを特徴とする請求項１乃至４のいずれか一項に記載の表示装置。
【発明の詳細な説明】
【技術分野】
【０００１】
本発明は、外表面に光触媒被膜が設けられた文字や映像などを表示する表示装置に関する。
【背景技術】
【０００２】
従来、液晶ディスプレイやタッチパネルが設けられた液晶ディスプレイなどの表示面に付着する汚れなどを除去するために光触媒を設けることが行われている。【０００３】
光触媒は、紫外光や可視光を照射することで活性化され有機物を水と炭酸ガスなどに分解する性質を持つが、光を照射しなければ活性化しないため表示装置に用いるためには光触媒を活性化させるための光源が必要になり、さらに可視光の場合も波長が青色の可視光に反応する物質が実用化されているのみであり、活性化するための光の種類（波長）に制限があるという問題があった。【０００４】
上述した問題に対して特許文献１に記載されている表示システムや特許文献２に記載されている表示装置が提案されている。【０００５】
特許文献１には、光触媒用の照明装置をタッチパネル周囲に設けて表示装置のバックライトともに光触媒を活性化させて汚れ除去を行う表示システムが記載されている。【０００６】
特許文献２には、バックライトから照射される光線内の紫外線が液晶パネルを透過し光触媒層を活性化させることで汚れ除去が行われる表示装置が記載されている。
【特許文献１】特開２００４−１１８７４７号公報
【特許文献２】特開２０００−１０４９１号公報
【発明の開示】
【発明が解決しようとする課題】
【０００７】
しかしながら、バックライト光源を光触媒の活性化に用いる場合は、表示素子の開口率や、各画素は、Ｒ，Ｇ，Ｂの３原色のカラーフィルタが発光色となるため光触媒が活性化しない赤色や緑色などのエリアが存在することや、映像表示用の光を直接光触媒活性化用光源として使用するので、映像の内容に左右されるために画面の場所によって汚れ除去効果のムラが生じる。さらにバックライト光源は表示用に調整されているため光触媒の活性化に効果の大きい光の波長を自由に選択できない。【０００８】
また、特許文献１のようにバックライト光源を直接光触媒層に両サイドから照射した場合、表示面全体を均一に照射することは困難であり、特別な光学素子が必要になる。【０００９】
さらに、表示面にタッチパネルを形成した場合は、タッチパネルの汚れる場所は一様ではなくあるエリア（例えば、周辺部付近のみとか）に特定される場合が多い。このような場合、表示用のバックライトを使用する場合はエリアを選択できないのでムダが大きい。【００１０】
そこで、本発明は、例えば表示面に光触媒の被膜を設けた表示装置において、光触媒をムラ無く効率良く活性化できる表示装置を提供することを課題とする。
【課題を解決するための手段】
【００１１】
上記課題を解決するために、請求項１記載の発明は、文字や映像などが表示される表示手段の表示面に光触媒被膜が設けられた表示装置において、前記表示手段と前記光触媒被膜との間に前記光触媒被膜を活性化させるための光源を備えたことを特徴としている。
【図面の簡単な説明】
【００１２】
【図１】本発明の一実施例にかかるタッチパネル付き液晶ディスプレイの断面図である。
【図２】図１に示されたタッチパネル付き液晶ディスプレイの変形例の断面図である。
【図３】図１に示されたタッチパネル付き液晶ディスプレイの他の変形例の断面図である。
【図４】表示面の一部にタッチパネルが形成されたタッチパネル付き液晶ディスプレイの平面図である。
【符号の説明】
【００１３】
１        タッチパネル付き液晶ディスプレイ（表示装置）
２        光触媒層（光触媒被膜）
３        タッチパネル部
４        有機ＥＬ部（光源）
５        液晶ディスプレイ部（表示手段）
【発明を実施するための最良の形態】
【００１４】
以下、本発明の一実施形態にかかる表示装置を説明する。本発明の一実施形態にかかる表示装置は、表示手段と光触媒被膜との間に光触媒被膜を活性化させるための光源を備えている。このようにすることによって、光触媒を活性化させるための専用の光源を備えることができるので、表示手段の表示の際に生じる光を用いて光触媒を活性化させることと比較して、画面の場所による汚れ除去効果のムラが生じず、また、光触媒の活性化に効果の大きい光の波長を自由に選択できる。【００１５】
また、表示面上で操作するためのタッチパネルを備えても良い。このようにすることによって、タッチパネルを備えた表示装置において表示面に付着した汚れを効率的に除去することができる。【００１６】
また、タッチパネルに光触媒被膜を活性化するための光源を備えても良い。このようにすることによって、光源がタッチパネルと一体に製造できるので製造工程の効率化や部品点数の削減ができる。【００１７】
また、光源が、自発光かつ、非発光時には前記光源外部からの光を透過する薄膜であってもよい。このようにすることによって、発光させるための部品等の追加も無く、光源を備えたことによる表示装置の厚さなどの大きさに殆ど影響を及ぼさなく光触媒を効率的に活性化させることができる。【００１８】
また、光源が、有機ＥＬ素子であってもよい。このようにすることによって、有機ＥＬ素子を光触媒を活性化する光源として利用でき、自発光、薄い、低消費電力といった有機ＥＬ素子の特徴を備えることができる。
【実施例】
【００１９】
本発明の一実施例にかかる表示装置としてのタッチパネル付き液晶ディスプレイ１を図１を参照して説明する。タッチパネル付き液晶ディスプレイ１は、例えばカーナビゲーションシステムなどに用いられ、液晶ディスプレイの表示面にタッチパネルが形成されており映像や文字等の表示とともに表示画面上を指などでタッチすることで各種操作も可能とした装置である。タッチパネル付き液晶ディスプレイ１は図１に示すように光触媒層２と、タッチパネル部３と、有機ＥＬ（エレクトロルミネッセンス）部４と、液晶ディスプレイ部５と、バックライト６と、を備えている。【００２０】
光触媒層２は、タッチパネル付き液晶ディスプレイ１の表示面の表面に設けられた光触媒被膜であり、指などでタッチした際などに付着した汚れを光触媒の光で活性化されると有機物を分解する効果により除去する。光触媒の材料としては二酸化チタンが周知である。また、二酸化チタンは紫外光により活性化されるが、可視光で活性化する光触媒としては、窒素ドープ型／炭素ドープ型／硫黄ドープ型／フッ素ドープ型二酸化チタンが周知である。【００２１】
タッチパネル部３は、光触媒層２の下層にあり、ＰＥＴフィルム３ａと、透明導電膜３ｂと、両面接着部３ｃと、フレキシブルコネクタ３ｄと、ドットスペーサ３ｅと、ガラス基板３ｆと、から構成されている。【００２２】
ＰＥＴフィルム３ａは、光触媒層２の下層かつタッチパネル部３の表面になり、ＰＥＴ（ポリエチレンテレフタレート）樹脂を材料とする透明のフィルムでありタッチパネル部３をカバーする。【００２３】
透明導電膜３ｂ１および３ｂ２は、ＩＴＯ（インジウム−錫酸化物）で形成されており、ＰＥＴフィルム３ａの下層に透明導電膜３ｂ１が形成され、両面接着部３ｃを介して透明導電膜３ｂ２が間隔を空けて設けられている。【００２４】
両面接着部３ｃは、絶縁性を有し、透明導電膜３ｂ１および３ｂ２を各々の周縁部において接着している。【００２５】
フレキシブルコネクタ３ｄは、可撓性を持つ部分を備えたコネクタであり、透明導電膜３ｂ１および３ｂ２の端部に接続され、図示しない制御手段等から透明導電膜３ｂ１または３ｂ２への給電を行う。【００２６】
ドットスペーサ３ｅは、樹脂などの絶縁体で形成されており、透明導電膜３ｂ２に所定の間隔を置いて複数配置されている。ドットスペーサ３ｅは、タッチパネル部３にタッチされた際にタッチされた場所以外の透明導電膜３ｂ１と３ｂ２が接触するのを防止する。【００２７】
ガラス基板３ｆは、タッチパネル部３の基板となり、透明導電膜３ｂ２の下層に形成されている。【００２８】
すなわち、タッチパネル部３は、タッチされるとタッチされた部分の透明導電膜３ｂ１が透明導電膜３ｂ２と接触することで起る抵抗の変化を検出することでタッチされた位置座標の検出がフレキシブルコネクタ３ｄを通して接続されている図示しない制御手段などで行われ、タッチパネル付き液晶ディスプレイ１を備えた機器等においてタッチした位置に対応した動作が行われる。【００２９】
光源としての有機ＥＬ部４は、タッチパネル部３の下層に設けられ、陽極４ａ、発光層４ｂ、陰極４ｃからなり、光触媒層２を活性化させるための光源となる。すなわち、有機ＥＬ部４からは、光触媒層２を活性化させることができる波長の光が出力するようになっている。【００３０】
陽極４ａは、ＩＴＯで形成された透明電極でありタッチパネル部３の下層に形成されている。【００３１】
発光層４ｂは、高分子材料または低分子材料などの有機ＥＬ化合物から構成された有機ＥＬ素子であり、陽極４ａの下層に形成されている。【００３２】
陰極４ｃは、アルミニウムなどで形成された金属電極であり、発光層４ｂの下層に形成されている。【００３３】
有機ＥＬ部４は、陽極４ａと陰極４ｃとの間に電圧を印加することで発光層４ｂの有機ＥＬ素子が発光し、この光が光触媒層２を活性化させる。すなわち、有機ＥＬ部４は自発光の光源となる。【００３４】
表示手段としての液晶ディスプレイ部５は、図示しない偏光フィルタ、ガラス基板、カラーフィルタ、透明電極、液晶、ＴＦＴ透明電極などが積層されている周知のＴＦＴ型のアクティブマトリクス液晶ディスプレイである。液晶ディスプレイ部５は図示しない入力端子から映像などが入力されて表示する。【００３５】
バックライト６は、液晶ディスプレイ部５用のバックライトであり、陰極型蛍光灯、または陰極型蛍光灯と導光板などで構成されている。【００３６】
次に、上述した構成からなるタッチパネル付き液晶ディスプレイ１において、表示面に付着した汚れを除去する際の動作を説明する。【００３７】
タッチパネル付き液晶ディスプレイ１の表示面に付着した汚れの除去は、液晶ディスプレイ部５に映像が表示されていないとき、すなわちタッチパネル付き液晶ディスプレイ１が未使用時に行われる。【００３８】
タッチパネル付き液晶ディスプレイ１が未使用時に、有機ＥＬ部４に給電して有機ＥＬ部４を発光させる。有機ＥＬ部４から照射される光はタッチパネル部３を透過して光触媒層２に照射される。有機ＥＬ部４から照射される光は光触媒層２を活性化されることができる波長の光であるので、光触媒層２は活性化され、タッチパネル付き液晶ディスプレイ１の表面に付着した汚れが除去される。【００３９】
タッチパネル付き液晶ディスプレイ１の通常使用時は、有機ＥＬ部４は給電せず消灯した状態にする。このようにすることで、通常使用時には液晶ディスプレイ部５に表示される映像等が有機ＥＬ部４を透過してタッチパネル付き液晶ディスプレイ１の表面から視認することができる。【００４０】
本実施例によれば、表面に光触媒層２を設けたタッチパネル付き液晶ディスプレイ１において、タッチパネル部３と液晶ディスプレイ部５との間に有機ＥＬ部４を設け、有機ＥＬ部４から照射する光によって光触媒層２を活性化させることでタッチパネル付き液晶ディスプレイ１に付着した汚れを除去することができる。また、有機ＥＬ部４を光触媒層２を活性化用光源とすることで、単色光源とすることができるので開口率を１００％とすることができ開口率の影響を受けなくなる。また、光触媒層２を活性化するための波長に調整でき活性化の効率を最大で使用できる。さらに映像表示とは無関係なので映像の影響を受けないために汚れ除去効果にムラがなくなる。【００４１】
なお、上述した実施例では、有機ＥＬ部４をタッチパネル部３と液晶ディスプレイ部５との間に設けたが、図２に示すようにタッチパネル部３の透明導電膜３ｂ２とガラス基板３ｆとの間や、図３に示すように光触媒層２とタッチパネル部３との間に設けてもよい。このようにすることによって、ガラス基板３ｆの一方側に全て形成できる（タッチパネルに設けることができる）のでガラス基板３ｆと液晶ディスプレイ部５との間に有機ＥＬ部４を設けるよりも製造が容易になる。【００４２】
また、図４のタッチパネル付き液晶ディスプレイ１の平面図に示すように、タッチパネル部３がタッチパネル付き液晶ディスプレイ１の全面でなく一部のみに形成される場合は、タッチパネル部３が形成された領域のみに有機ＥＬ部４を形成しても良い。有機ＥＬ部は自発光素子であるため、発光エリアを任意に選択することができることからタッチパネル部３が形成された領域のみに有機ＥＬ部４を形成することができる。【００４３】
また、上述した実施例では有機ＥＬ素子を光触媒を活性化させるための光源としていたが、それに限らず、無機ＥＬ素子など、自発光かつ非発光時には前記光源外部からの光を透過する薄膜に形成できる素子であればよい。【００４４】
また、上述した実施例では表示手段としてＴＦＴ型アクティブマトリクス液晶ディスプレイとしていたが、タッチパネルは備えていなくても良く、表示装置は単純マトリクスなどの他の方式の液晶ディスプレイでも良いし、ブラウン管やプラズマディスプレイおよび有機ＥＬディスプレイなど、外部から入力される文字や映像などを表示する表示装置であれば適用可能である。【００４５】
前述した実施例によれば、以下のタッチパネル付き液晶ディスプレイ１が得られる。【００４６】
（付記１）文字や映像などが表示される液晶ディスプレイ部５の表示面に光触媒層２が設けられたタッチパネル付き液晶ディスプレイ１において、
液晶ディスプレイ部５と光触媒層２との間に光触媒層２を活性化させるための有機ＥＬ部４を備えたことを特徴とするタッチパネル付き液晶ディスプレイ１。【００４７】
前述したタッチパネル付き液晶ディスプレイ１によれば、光触媒層２を活性化させるための専用の光源としての有機ＥＬ部４を備えることができるので、液晶ディスプレイ部５の表示の際に生じる光を用いて光触媒層２を活性化させることと比較して、画面の場所による汚れ除去効果のムラが生じず、また、光触媒層２の活性化に効果の大きい光の波長を自由に選択できる。【００４８】
なお、前述した実施例は本発明の代表的な形態を示したに過ぎず、本発明は、実施例に限定されるものではない。すなわち、本発明の骨子を逸脱しない範囲で種々変形して実施することができる。
【図１】
2008010350.tif 000003
【図２】
2008010350.tif 000004
【図３】
2008010350.tif 000005
【図４】
2008010350.tif 000006
【手続補正書】
【提出日】平成20年5月9日(2008.5.9)
【手続補正１】
【補正対象書類名】特許請求の範囲
【補正対象項目名】全文
【補正方法】変更
【補正の内容】
【特許請求の範囲】
【請求項１】
文字や映像などが表示される表示手段の表示面に光触媒被膜が設けられた表示装置において、
前記表示手段の後面側に設けられ前記表示手段を照射する第１の光源と、
前記表示手段と前記光触媒被膜との間に前記光触媒被膜を活性化させるための第２の光源を備え、
前記第２の光源が、自発光かつ、非発光時には前記光源外部からの光を透過する薄膜であることを特徴とする表示装置。
【請求項２】
前記表示面上で操作するためのタッチパネルを備えたことを特徴とする請求項１に記載の表示装置。
【請求項３】
前記タッチパネルが、前記第２の光源を備えたことを特徴とする請求項２に記載の表示装置。
【請求項４】
前記第２の光源が、有機ＥＬ素子であることを特徴とする請求項１乃至３のいずれか一項に記載の表示装置。
【請求項５】
前記第２の光源は、前記タッチパネルの操作可能な領域に発光エリアを選択して照射することを特徴とする請求項２乃至４のうちいずれか一項に記載の表示装置。
【手続補正２】
【補正対象書類名】明細書
【補正対象項目名】０００３
【補正方法】変更
【補正の内容】
【０００３】
３          タッチパネル部
４          有機ＥＬ部（光源）
５          液晶ディスプレイ部（表示手段）
発明を実施するための最良の形態
［００１４］
以下、本発明の一実施形態にかかる表示装置を説明する。本発明の一実施形態にかかる表示装置は、表示手段と光触媒被膜との間に光触媒被膜を活性化させるための第２の光源を備え、その第２の光源が、自発光かつ、非発光時には第２の光源外部からの光を透過する薄膜で構成されている。このようにすることによって、光触媒を活性化させるための専用の光源を備えることができるので、表示手段の表示の際に生じる光を用いて光触媒を活性化させることと比較して、画面の場所による汚れ除去効果のムラが生じず、また、光触媒の活性化に効果の大きい光の波長を自由に選択でき、さらに、発光させるための部品等の追加も無く、第２の光源を備えたことによる表示装置の厚さなどの大きさに殆ど影響を及ぼさなく光触媒を効率的に活性化させることができる。
［００１５］
また、表示面上で操作するためのタッチパネルを備えても良い。このようにすることによって、タッチパネルを備えた表示装置において表示面に付着した汚れを効率的に除去することができる。
［００１６］
また、タッチパネルに光触媒被膜を活性化するための第２の光源を備えても良い。このようにすることによって、第２の光源がタッチパネルと一体に製造できるので製造工程の効率化や部品点数の削減ができる。
［００１７］
また、第２の光源が、有機ＥＬ素子であってもよい。このようにすることによって、有機ＥＬ素子を光触媒を活性化する光源として利用でき、自発光、薄い、低消費電力といった有機ＥＬ素子の特徴を備えることができる。
［００１８］
また、第２の光源は、タッチパネルの操作可能な領域に発光エリアを選択して照射するようにしてもよい。このようにすることによって、発光エリアをタッチパネルの操作可能なエリアのみ光触媒の活性化を行うことができる。
実施例
［００１９］
本発明の一実施例にかかる表示装置としてのタッチパネル付き液晶ディスプレイ１を図１を参照して説明する。タッチパネル付き液晶ディスプレイ１は、例えばカーナビゲーションシステムなどに用いられ、液晶ディスプレイの表示面にタッチパネルが形成されており映像や文字等の表示とともに表示画面上を指などでタッチすることで各
【手続補正３】
【補正対象書類名】明細書
【補正対象項目名】０００５
【補正方法】変更
【補正の内容】
【０００５】
れている。
［００２８］
すなわち、タッチパネル部３は、タッチされるとタッチされた部分の透明導電膜３ｂ１が透明導電膜３ｂ２と接触することで起る抵抗の変化を検出することでタッチされた位置座標の検出がフレキシブルコネクタ３ｄを通して接続されている図示しない制御手段などで行われ、タッチパネル付き液晶ディスプレイ１を備えた機器等においてタッチした位置に対応した動作が行われる。
［００２９］
第２の光源としての有機ＥＬ部４は、タッチパネル部３の下層に設けられ、陽極４ａ、発光層４ｂ、陰極４ｃからなり、光触媒層２を活性化させるための光源となる。すなわち、有機ＥＬ部４からは、光触媒層２を活性化させることができる波長の光が出力するようになっている。
［００３０］
陽極４ａは、ＩＴＯで形成された透明電極でありタッチパネル部３の下層に形成されている。
［００３１］
発光層４ｂは、高分子材料または低分子材料などの有機ＥＬ化合物から構成された有機ＥＬ素子であり、陽極４ａの下層に形成されている。
［００３２］
陰極４ｃは、アルミニウムなどで形成された金属電極であり、発光層４ｂの下層に形成されている。
［００３３］
有機ＥＬ部４は、陽極４ａと陰極４ｃとの間に電圧を印加することで発光層４ｂの有機ＥＬ素子が発光し、この光が光触媒層２を活性化させる。すなわち、有機ＥＬ部４は自発光の光源となる。
［００３４］
表示手段としての液晶ディスプレイ部５は、図示しない偏光フィルタ、ガラス基板、カラーフィルタ、透明電極、液晶、ＴＦＴ透明電極などが積層されている周知のＴＦＴ型のアクティブマトリクス液晶ディスプレイである。液晶ディスプレイ部５は図示しない入力端子から映像などが入力されて表示する。
［００３５］
バックライト６は、液晶ディスプレイ部５用のバックライトであり、陰極型蛍光灯、または陰極型蛍光灯と導光板などで構成されている。
［００３６］
次に、上述した構成からなるタッチパネル付き液晶ディスプレイ１において、表示面に付着した汚れを除去する際の動作を説明する。
［００３７］
タッチパネル付き液晶ディスプレイ１の表示面に付着した汚れの除去は、液晶ディ
【国際調査報告】
2008010350.tif 000007
2008010350.tif 000008